(57)【要約】      （修正有）【課題】より長期間使用可能であって、記録安定性も達成可能な工事用表示板を提供する。【解決手段】表示板１は、少なくとも一方の面において表示シート２１が接着された基板２と、基板２を保持するフレーム３と、を備えている。また、フレーム３は、基板をスライド及び挿入させる挿入溝３１が形成され、周囲のフレーム枠部分においても、抜き溝３４が形成されている。【選択図】図３
0003214399.tif 000002
【実用新案登録請求の範囲】
【請求項１】
少なくとも一方の面において表示シートが接着された基板と、
前記基板を保持するフレームと、を備える工事用表示板。
【請求項２】
前記基板は木材であって、
前記表示シートは、薄い表示シートが二重に接着されたものである請求項１記載の工事用表示板。
【請求項３】
前記フレームは、
前記基板をスライド及び挿入させる挿入溝が形成されている請求項１記載の工事用表示板。
【請求項４】
前記フレームは、周囲のフレーム枠部分において、抜き溝が形成されている請求項３記載の工事用表示板。
【考案の詳細な説明】
【技術分野】
【０００１】
本考案は、工事用表示板に関する。
【背景技術】
【０００２】
工事用表示板は、工事の現場において、工事名、工種、撮影年月日等を記載し、工事の前後において撮影、記録するために用いられる板であり、工事を行う者は必ず作成しなければならない。
【０００３】
そして一般の工事用表示板は、木製の板材の上に、緑色の黒板用塗料を塗布したものが一般的であり、この黒板用塗料の上に白色の塗料等で枠を形成し、その中に必要事項をチョークなどで記入するものである。
【０００４】
上記工事用表示板としては、例えば下記非特許文献１等において開示されている。
【先行技術文献】
【非特許文献】
【０００５】
【非特許文献１】ｈｔｔｐ：／／ｅｃ．ｍｉｄｏｒｉ-ａｎｚｅｎ．ｃｏｍ／ｓｈｏｐ／ｇ／ｇ４０６８３７３４２０／
【考案の概要】
【考案が解決しようとする課題】
【０００６】
ところで、上記のように工事用表示板は、持ち運び及び保管の際に外気に直接晒されるものであって、表面は傷つきやすく、すぐ交換しなければならなくなるといった課題がある。また表面はチョークで記載することができるものとなっているため、持ち運び及び保管の際すぐ消えてしまい、記録用の手段としての課題も残す。
【０００７】
そこで、本考案は、上記課題に鑑み、より長期間使用可能であって、記録安定性も達成可能な工事用表示板を提供することを目的とする。
【課題を解決するための手段】
【０００８】
すなわち、上記課題を解決する本考案の一観点にかかる工事用表示板は、少なくとも一方の面において表示シートが接着された基板と、基板を保持するフレームと、を備えるものである。
【０００９】
また、本観点において、フレームは、基板をスライド及び挿入させる挿入溝が形成されていることが好ましい。
【考案の効果】
【００１０】
以上本考案によって、より長期間使用可能であって、記録安定性も達成可能な工事用表示板を提供することができる。
【図面の簡単な説明】
【００１１】
【図１】実施形態に係る工事用表示板の概略を示す図である。
【図２】実施形態に係る工事用表示板の表示面の一例を示す図である。
【図３】実施形態に係る工事用表示板のフレームの概略を示す図である。
【図４】実施形態に係る工事用表示板のフレームの概略を示す図である。
【図５】実施形態に係る工事用表示板のフレームの布部材の概略を示す図である。
【考案を実施するための最良の形態】
【００１２】
以下、本考案の実施形態について図面を用いて詳細に説明する。ただし、本考案は多くの異なる形態による実施が可能であり、以下に示す実施形態の例示にのみ限定されるものではない。
【００１３】
図１は、本実施形態にかかる工事用表示板（以下「本表示板」という。）１の概略を示す図である。本図で示すように、本表示板１は、少なくとも一方の面において表示シート２１が接着された基板２と、基板２を保持するフレーム３と、を備えている。
【００１４】
本表示板１において、基板２は、本表示板の主要な骨格を構成する板であって、上記のとおり、少なくとも一方の面において表示シートが接着されている。
【００１５】
本表示板１における基板２は、少なくとも一方の面において表示シートが接着されたものであれば限定されず、ベニヤ等の木材、スチール等の金属製、又は、ポリスチレン等の樹脂からなる基材とすることが価格及び耐久性の観点から好ましい。
【００１６】
なお表示板１における基板２の大きさとしては工事現場とともに撮影し記載された文字等を読み込むことができる程度の大きさであればよく、特に限定されず、縦と横の比も適宜調整可能であるが、例えば縦横ともに３０ｃｍ以上１００ｃｍ以下であることが持ち運びの観点から好ましい。
【００１７】
また、本表示板１において、表示シート２１は、上記のとおり、基板２のすくなくとも一方の面に接着剤などにより接着されており、情報を表示することができるものである。
【００１８】
また、本表示板１において、表示シート２１は、二重であることが好ましい。二重とすることにより、基板２が木材である場合、表示シート２１が接着されたとき、この木材の木目が表示シートの凹凸となって現れてしまうおそれがある。これは、そもそもの見た目として好ましくないだけでなく、表示を行うために用いたチョーク等の粉がこの凹凸に入り込んでしまい、表示を消しにくくなってしまうといった課題がある。これに対し、本表示シート２１では、二重とすることにより、この凹凸をより緩和させることが可能とし、見た目をより平坦に、しかもチョーク等が凹凸に入り込んでしまうことを防止し、表示を消しやすくすることができるといった利点がある。なお、最表面となる表示面の場合のイメージを図２に示しておく。なお、表示シート２１の接着に関しては、予め表示シート２１を二重に形成し、この二重に形成された表示シート２１を基板に接着させてもよいし、基板に一重の表示シートを２回接着することにより二重とすることとしてもよい。
【００１９】
また、本表示板１において、１枚当たりの表示シート２１は、薄いものであることが好ましい。具体的には、表示シート２１は薄い樹脂シートとし、樹脂シートが二重になっている場合は最表面の樹脂シートの一方の面のみが、一重の場合は最表面に別途表示面を形成し、この表示面に例えばインクジェット等を用いて表示板全体を印字するようにしてもよい。このようにすることで、チョーク等の消えやすい材料で記載した場合に比べ、工事中外気に晒されたとしても消える恐れが少なく、また表示も非常に読みやすくなるといった利点がある。
【００２０】
また、本表示板１において、フレーム３は、上記基板２を保持するための部材であって、このフレーム３により工事期間中ずれることなく安定的に保持される。
【００２１】
また、本表示板１におけるフレーム３は、分離可能であって、基板２をスライド及び挿入させる挿入溝３１が形成されていることが好ましい。図３に、フレーム３に基板２をスライドさせる場合のイメージを示しておく。本図で示すように、この表示板１の使用者は、使用前にフレーム３を分離し、挿入溝３１に上記基板２を挿入し、再び一体化させて表示板１として完成させる。この分離及び一体化は、例えばネジ等を用いて実現できる。
【００２２】
本表示板１におけるフレーム３の材質は、特に限定されるわけではないが、例えばアルミニウム、スチール等の金属、ポリプロピレン等の樹脂、ベニヤ等の木材等であることは好ましい。
【００２３】
また、本表示板１において、フレーム３には、中間支持部材３２、この中間支持部材３２に備えられた収納可能な支柱部材３３と、を備えていることが好ましい。このようにすることで、工事板を自立させる一方、使用しないときは支柱部材を収納しコンパクトに保管することが可能となる。この場合のイメージを例えば図４に示しておく。
【００２４】
また、本表示板１において、フレーム３の挿入溝３１以外の部分、具体的には周囲のフレーム枠部分においても、抜き溝３４が形成されていることが好ましい。このようにすることで、より軽量化を図ることができるとともに、上記支柱部材３３をこの抜き溝に挿入し固定することがより簡単になるといった利点がある。更に、屋外において風雨にさらされた場合に、このフレーム内に水が浸入したとしても、簡便に排出及び乾燥させやすくなるといった利点がある。そしてそのため、フレーム３の枠部分の下部には水を排出させるための排出孔が形成されていることも好ましい。このようにすることで、上記の通り水をより排出させやすくなる。
【００２５】
また、本表示板１では、中間支持部材と外側のフレーム枠部分の領域にポケット４を形成するための布部材を配置していてもよい。このようにすることで、ペン等を収納することが可能であり、利便性がより高まる。この布部材は、可能であれば網目状のメッシュ生地であることが好ましい。このようにすることで屋外の使用において水等が入ってきたとしても排出しやすくなるとともに、軽量化を図ることが可能となる。また、メッシュとなっているため、ポケット内に何が入っているのかを容易に確認しやすくなる。
【００２６】
また、この布部材は、外側のフレーム枠部分の上記抜き溝３４に差し込み板を差し込みつつ巻き込まれて固定されていることがこのましい。このようにしておくことで、抜き溝３４を埋めてこの抜き溝にペンなどが入ってしまい取り出しにくくしてしまうことを防止するとともに、布部材を巻き付けて固定することでより安定的に固定することができるといった利点がある。この場合の概略を図５に示しておく。
【００２７】
以上、本表示板１は、長期間使用可能であって、記録安定性も達成可能な工事用表示板となっている。
【産業上の利用可能性】
【００２８】
本考案は、工事用表示板として産業上利用可能性がある。
【符号の説明】
【００２９】
１…工事用表示板
２…基板
３…フレーム
【図１】
0003214399.tif 000003
【図２】
0003214399.tif 000004
【図３】
0003214399.tif 000005
【図４】
0003214399.tif 000006
【図５】
0003214399.tif 000007